【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】
記録紙に画像データに応じた画像を形成する画像形成部と、
前記記録紙を出力する複数の排紙皿と、
前記画像形成部により画像が形成された記録紙の出力先を前記複数の排紙皿の中から自動で選択することの指定を入力するための自動選択手段と、
前記画像形成部により画像が形成された記録紙の出力先として、前記複数の排紙皿から選択入力する出力先入力手段と、
前記自動選択手段により前記出力先を自動で選択することの指定が入力された場合に、前記複数の排紙皿の中から記録紙が存在しない排紙皿を出力先として選択し、前記自動選択手段により前記出力先を自動で選択することの指定が入力されていない場合に、前記出力先入力手段により入力された排紙皿が満杯でなければ前記出力先入力手段により入力された排紙皿を出力先として選択する制御手段と、
を備えることを特徴とする画像形成装置。
【請求項２】
前記制御手段は、前記自動選択手段により前記出力先を自動で選択することの指定が入力されていない場合に、前記出力先入力手段により入力された排紙皿が満杯であれば前記出力先入力手段による再入力を行わせることを特徴とする請求項１に記載の画像形成装置。
【請求項３】
前記複数の排紙皿毎に、排紙皿が満杯かどうかを検出する満杯検出手段を備えることを特徴とする請求項１又は２に記載の画像形成装置。
【請求項４】
前記複数の排紙皿毎に、排紙皿に記録紙が存在しないかどうかを検出する記録紙無し検出手段を備えることを特徴とする請求項１ないし３のいずれか１項に記載の画像形成装置。
【請求項５】
前記自動選択手段は、前記自動選択手段により前記出力先を自動で選択することの指定が入力された場合に、前記出力先を優先順位に従って選択することを特徴とする請求項１ないし４のいずれか１項に記載の画像形成装置。
【請求項６】
前記排紙皿をグループに分けるグループ選択手段と、
前記グループの指定入力を行うグループ指定入力手段と、
を備え、前記制御手段は、前記出力先を自動で選択することの指定が入力された場合に、前記グループ指定入力手段により指定入力されたグループの排紙皿の中から、出力先を選択することを特徴とする請求項１ないし５のいずれか１項に記載の画像形成装置。
【請求項７】
前記排紙皿が満杯であることを表示する警告表示手段を備えることを特徴とする請求項１ないし６のいずれか１項に記載の画像形成装置。
【請求項８】
前記警告表示手段は、前記排紙皿毎の満杯表示を行うことを特徴とする請求項７に記載の画像形成装置。
【手続補正２】
【補正対象書類名】明細書
【補正対象項目名】０００１
【補正方法】変更
【補正の内容】
【０００１】
【発明の属する技術分野】
この発明は、画像形成された記録紙を排紙する複数の排紙皿を有する画像形成装置に関する。
【手続補正３】
【補正対象書類名】明細書
【補正対象項目名】０００８
【補正方法】変更
【補正の内容】
【０００８】
この発明は、上述した従来技術による課題を解決するためになされたものであり、オペレータが排紙先の混乱を生じることの無い画像形成装置を提供することを目的とする。
【手続補正４】
【補正対象書類名】明細書
【補正対象項目名】０００９
【補正方法】変更
【補正の内容】
【０００９】
【課題を解決するための手段】
上述した課題を解決し、目的を達成するために、請求項１にかかる画像形成装置は、記録紙に画像データに応じた画像を形成する画像形成部と、前記記録紙を出力する複数の排紙皿と、前記画像形成部により画像が形成された記録紙の出力先を前記複数の排紙皿の中から自動で選択することの指定を入力するための自動選択手段と、前記画像形成部により画像が形成された記録紙の出力先として、前記複数の排紙皿から選択入力する出力先入力手段と、前記自動選択手段により前記出力先を自動で選択することの指定が入力された場合に、前記複数の排紙皿の中から記録紙が存在しない排紙皿を出力先として選択し、前記自動選択手段により前記出力先を自動で選択することの指定が入力されていない場合に、前記出力先入力手段により入力された排紙皿が満杯でなければ前記出力先入力手段により入力された排紙皿を出力先として選択する制御手段と、を備えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、請求項２に記載の発明にかかる画像形成装置は、前記制御手段が、前記自動選択手段により前記出力先を自動で選択することの指定が入力されていない場合に、前記出力先入力手段により入力された排紙皿が満杯であれば前記出力先入力手段による再入力を行わせることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、請求項３に記載の発明にかかる画像形成装置は、前記複数の排紙皿毎に、排紙皿が満杯かどうかを検出する満杯検出手段を備えることを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
また、請求項４に記載の発明にかかる画像形成装置は、前記複数の排紙皿毎に、排紙皿に記録紙が存在しないかどうかを検出する記録紙無し検出手段を備えることを特徴とする。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
また、請求項５に記載の発明にかかる画像形成装置は、前記自動選択手段が、前記自動選択手段により前記出力先を自動で選択することの指定が入力された場合に、前記出力先を優先順位に従って選択することを特徴とする。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
また、請求項６に記載の発明にかかる画像形成装置は、前記排紙皿をグループに分けるグループ選択手段と、前記グループの指定入力を行うグループ指定入力手段と、を備え、前記制御手段は、前記出力先を自動で選択することの指定が入力された場合に、前記グループ指定入力手段により指定入力されたグループの排紙皿の中から、出力先を選択することを特徴とする。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
また、請求項７に記載の発明にかかる画像形成装置は、前記排紙皿が満杯であることを表示する警告表示手段を備えることを特徴とする。
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
また、請求項８に記載の発明にかかる画像形成装置は、前記警告表示手段が、前記排紙皿毎の満杯表示を行うことを特徴とする。
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００８０
【補正方法】変更
【補正の内容】
【００８０】
【発明の効果】
本発明によれば、簡易な構成により、オペレータに出力先の混乱を招くことなく意図する排紙皿に記録紙を出力することができる。
【手続補正３５】
【補正対象書類名】明細書
【補正対象項目名】００８１
【補正方法】削除
【補正の内容】
【手続補正３６】
【補正対象書類名】明細書
【補正対象項目名】００８２
【補正方法】削除
【補正の内容】
【手続補正３７】
【補正対象書類名】明細書
【補正対象項目名】００８３
【補正方法】削除
【補正の内容】
【手続補正３８】
【補正対象書類名】明細書
【補正対象項目名】００８４
【補正方法】削除
【補正の内容】
【手続補正３９】
【補正対象書類名】明細書
【補正対象項目名】００８５
【補正方法】削除
【補正の内容】
【手続補正４０】
【補正対象書類名】明細書
【補正対象項目名】００８６
【補正方法】削除
【補正の内容】
【手続補正４１】
【補正対象書類名】明細書
【補正対象項目名】００８７
【補正方法】削除
【補正の内容】
【手続補正４２】
【補正対象書類名】明細書
【補正対象項目名】００８８
【補正方法】削除
【補正の内容】
【手続補正４３】
【補正対象書類名】明細書
【補正対象項目名】００８９
【補正方法】削除
【補正の内容】
【手続補正４４】
【補正対象書類名】明細書
【補正対象項目名】００９０
【補正方法】削除
【補正の内容】
【手続補正４５】
【補正対象書類名】明細書
【補正対象項目名】００９１
【補正方法】削除
【補正の内容】
【手続補正４６】
【補正対象書類名】明細書
【補正対象項目名】００９２
【補正方法】削除
【補正の内容】
【手続補正４７】
【補正対象書類名】明細書
【補正対象項目名】００９３
【補正方法】削除
【補正の内容】
【手続補正４８】
【補正対象書類名】明細書
【補正対象項目名】００９４
【補正方法】削除
【補正の内容】